(57)【要約】【課題】ブロードキャスト／マルチキャストにおいて、受信品質のフィードバックを可能とし、無線基地局からの配信データの受信品質を改善する制御装置、無線通信端末、通信制御方法を提供する。【解決手段】無線通信端末は、ユニキャストを用いて、制御装置に配信データの再送要求を行い、前記再送要求に無線基地局の識別子を含める工程と、前記制御装置が、前記再送要求に含まれる前記識別子に基づいて、前記無線基地局ごとの再送要求回数を算出する工程と、前記制御装置が、前記再送要求回数に基づいて、再送要求が多い無線基地局のブロードキャスト／マルチキャストの配信データを配信する送信パラメータを制御する工程とを有する。【選択図】図１
2007201924.tif 000002
【特許請求の範囲】
【請求項１】
複数の無線通信端末に対して一斉に配信データを送信するブロードキャスト／マルチキャストと、前記無線通信端末ごとに個別にデータを送受信するユニキャストとを可能にする無線基地局を介して、前記無線通信端末と通信する制御装置であって、
前記無線通信端末から前記ユニキャストを用いて送信されたブロードキャスト／マルチキャストの配信データの再送要求に含まれる無線基地局の識別子に基づいて、前記無線基地局ごとのブロードキャスト／マルチキャストの配信データの再送要求回数を算出する再送要求回数算出部と、
前記再送要求回数に基づいて、再送回数が多い無線基地局のブロードキャスト／マルチキャストの配信データを配信する送信パラメータを制御する送信パラメータ制御部とを備えることを特徴とする制御装置。
【請求項２】
複数の前記無線基地局から構成されているエリアにおける、前記再送要求回数の平均である平均再送要求回数を算出する平均再送要求回数算出部を更に具備し、
前記送信パラメータ制御部は、前記再送要求回数と前記平均再送要求回数とに基づいて、前記無線基地局の送信パラメータを制御することを特徴とする請求項１に記載の制御装置。
【請求項３】
前記送信パラメータは、前記配信データを送信する送信電力であり、
前記送信パラメータ制御部は、前記再送要求回数に基づいて、前記無線基地局に、前記配信データを送信する送信電力を調整するように通知することを特徴とする請求項１又は２に記載の制御装置。
【請求項４】
前記送信パラメータは、前記配信データに対する誤り訂正符号の割合であり、
前記送信パラメータ制御部は、前記再送要求回数に基づいて、前記無線基地局に、前記配信データに対する前記誤り訂正符号の割合を調整するように通知することを特徴とする請求項１乃至３のいずれか１項に記載の制御装置。
【請求項５】
前記送信パラメータは、前記配信データの送信速度であり、
前記送信パラメータ制御部は、前記再送要求回数に基づいて、前記無線基地局に、前記配信データの送信速度を調整するように通知することを特徴とする請求項１乃至４のいずれか１項に記載の制御装置。
【請求項６】
無線基地局からブロードキャスト／マルチキャストの配信データを受信する受信部と、
双方向通信を用いて前記配信データの再送要求を送信する再送要求送信部と、
前記再送要求の対象となる配信データを配信した前記無線基地局の識別子を前記再送要求に含める識別子処理部とを具備することを特徴とする無線通信端末。
【請求項７】
複数の無線通信端末に対して一斉に配信データを送信するブロードキャスト・マルチキャストと、前記無線通信端末ごとに個別にデータを送受信するユニキャストとを可能にする前記無線通信端末と制御装置との無線基地局を介した通信を制御する通信制御方法であって、
前記無線通信端末が、前記ユニキャストを用いて、前記制御装置に前記配信データの再送要求を行い、前記再送要求に前記無線基地局の識別子を含める工程と、
前記制御装置が、前記再送要求に含まれる前記識別子に基づいて、前記無線基地局ごとの再送要求回数を算出する工程と、
前記制御装置が、前記再送要求回数に基づいて、再送要求が多い無線基地局のブロードキャスト／マルチキャストの配信データを配信する送信パラメータを制御する工程とを有することを特徴とする通信制御方法。
【発明の詳細な説明】
【技術分野】
【０００１】
本発明は、複数の無線通信端末に対して一斉に配信データを送信するブロードキャスト／マルチキャストと、無線通信端末ごとに個別にデータを送受信するユニキャストとを用いて通信を行う、制御装置、無線通信端末、通信制御方法に関する。
【背景技術】
【０００２】
符号分割多元接続（ＣＤＭＡ）を用いた移動体通信ネットワークでは、高速なデータ通信を実現する１ｘＥＶ−ＤＯ（１ｘ  ｅｖｏｌｕｔｉｏｎ−ｄａｔａ  ｏｎｌｙ）が提供されている。
【０００３】
１ｘＥＶ−ＤＯでは、無線通信端末ごとに個別に割り当てられた個別チャネルを用いて、上り・下り方向の双方向通信（ユニキャスト）が行われる。
【０００４】
また、1xEV-DOでは、複数の無線通信端末に共通のデータである「配信データ」を、当該複数の無線通信端末に対して一斉に送信することができる、ＢＣＭＣＳ（Ｂｒｏａｄｃａｓｔ  Ｍｕｌｔｉｃａｓｔ  Ｓｅｒｖｉｃｅ）が提供されている（例えば、非特許文献１。）。ＢＣＭＣＳでは、複数の無線通信端末に一斉に配信データを送信可能なＢＣＭＣＳ専用チャネルを用いて、下り方向のみの片方向通信（ブロードキャスト／マルチキャスト）が行われる。
【０００５】
ブロードキャスト／マルチキャストでは、ＢＣＭＣＳ専用チャネルを用いて複数の無線通信端末に一斉に配信データを送信可能であるため、ユニキャストのように、無線通信端末ごとに個別チャネルを設定し、複数の無線通信端末各々に対して配信データを送信する必要がない。したがって、ブロードキャスト／マルチキャストは、無線リソースを効率的に利用でき、複数のユーザ（無線通信端末）向けのコンテンツ配信等に適している。
【特許文献１】3GPP2 C.S0054-0 Version 1.0 cdma2000 High Rate Broadcast-Multicast Packet Data Air Interface Specification, February 2004 1.4Broadcast channels
【発明の開示】
【発明が解決しようとする課題】
【０００６】
しかしながら、ブロードキャスト／マルチキャストは、下り方向のみ片方向通信であるため、無線通信端末は、配信データの再送要求を行うことができない。また、ブロードキャスト／マルチキャストは、複数の無線通信端末に対して、一斉に配信データを送信してしまうため、特定の無線通信端末へのみ再送を行うことができない。
【０００７】
したがって、ブロードキャスト／マルチキャストでは、無線通信端末は、ユニキャストのように、配信データの再送要求に基づいて、受信品質を無線基地局に対してフィードバックできず、無線基地局からの配信データの受信品質を改善することができないという問題点があった。
【０００８】
そこで、本発明は、このような状況に鑑みてなされたものであり、ブロードキャスト／マルチキャストにおいて、受信品質のフィードバックを可能とし、無線基地局からの配信データの受信品質を改善することができる制御装置、無線通信端末、通信制御方法を提供することを目的とする。
【課題を解決するための手段】
【０００９】
本発明の第１の特徴は、複数の無線通信端末に対して一斉に配信データを送信するブロードキャスト／マルチキャストと、前記無線通信端末ごとに個別にデータを送受信するユニキャストとを可能にする無線基地局を介して、前記無線通信端末と通信する制御装置であって、前記無線通信端末から前記ユニキャストを用いて送信されたブロードキャスト／マルチキャストの配信データの再送要求に含まれる無線基地局の識別子に基づいて、前記無線基地局ごとのブロードキャスト／マルチキャストの配信データの再送要求回数を算出する再送要求回数算出部と、前記再送要求回数に基づいて、再送回数が多い無線基地局のブロードキャスト／マルチキャストの配信データを配信する送信パラメータを制御する送信パラメータ制御部とを備える制御装置であることを要旨とする。
【００１０】
本発明の第１の特徴において、複数の前記無線基地局から構成されているエリアにおける、前記再送要求回数の平均である平均再送要求回数を算出する平均再送要求回数算出部を更に具備し、前記送信パラメータ制御部は、前記再送要求回数と前記平均再送要求回数とに基づいて、前記無線基地局の送信パラメータを制御してもよい。
【００１１】
本発明の第１の特徴において、前記送信パラメータは、前記配信データを送信する送信電力であり、前記送信パラメータ制御部は、前記再送要求回数に基づいて、前記無線基地局に、前記配信データを送信する送信電力を調整してもよい。
【００１２】
本発明の第１の特徴において、前記送信パラメータは、前記配信データに対する誤り訂正符号の割合であり、前記送信パラメータ制御部は、前記再送要求回数に基づいて、前記無線基地局に、前記配信データに対する前記誤り訂正符号の割合を調整してもよい。
【００１３】
本発明の第１の特徴において、前記送信パラメータは、前記配信データの送信速度であり、前記送信パラメータ制御部は、前記再送要求回数に基づいて、前記無線基地局に、前記配信データの送信速度を調整するように通知してもよい。
【００１４】
本発明の第２の特徴は、配信元から一斉に配信された配信データを受信するブロードキャスト／マルチキャストと、前記配信元と個別にデータを送受信するユニキャストとを可能にする無線基地局を介して、前記制御装置と通信する無線通信端末であって、前記ブロードキャスト／マルチキャストの配信データを受信する受信部と、前記ユニキャストを用いて、前記配信データの再送要求を前記配信元に向けて送信する再送要求送信部と、前記再送要求の対象となる配信データを配信した前記無線基地局の識別子を前記再送要求に含める識別子処理部とを具備する無線通信端末であることを特徴とする。
【００１５】
本発明の第３の特徴は、複数の無線通信端末に対して一斉に配信データを送信するブロードキャスト・マルチキャストと、前記無線通信端末ごとに個別にデータを送受信するユニキャストとを可能にする前記無線通信端末と制御装置との無線基地局を介した通信を制御する通信制御方法であって、前記無線通信端末が、前記ユニキャストを用いて、前記制御装置に前記配信データの再送要求を行い、前記再送要求に前記無線基地局の識別子を含める工程と、前記制御装置が、前記再送要求に含まれる前記識別子に基づいて、前記無線基地局ごとの再送要求回数を算出する工程と、前記制御装置が、前記再送要求回数に基づいて、再送要求が多い無線基地局のブロードキャスト／マルチキャストの配信データを配信する送信パラメータを制御する工程とを有する通信制御方法であることを要旨とする。
【発明の効果】
【００１６】
以上説明したように、本発明によれば、ブロードキャスト／マルチキャストにおいて、受信品質のフィードバックを可能とし、無線基地局からの配信データの受信品質を改善することができる制御装置、無線通信端末、通信制御方法を提供することができる。
【発明を実施するための最良の形態】
【００１７】
（移動体通信システムの概略構成）
図１は、本実施形態に係る無線通信端末を含む移動体通信システム１の概略構成図である。
【００１８】
図１に示すように、移動体通信システム１は、無線通信端末１００（無線通信端末１００ａ、１００ｂ、１００ｃ）と、無線基地局（ＡＮ）２００（ＡＮ２００ａ、２００ｂ、２００ｃ）と、パケット制御装置（ＰＣＦ）３００と、ブロードキャスト交換ノード（ＢＳＮ：Ｂｒｏａｄｃａｓｔ  Ｓｅｒｖｉｎｇ  Ｎｏｄｅ）４００と、ゲートウェイ（ＧＷ：Ｇａｔｅｗａｙ）５００（５００ａ，５００ｂ）と、コンテンツサーバ６００と、ＢＣＭＣＳ制御装置７００と、パケット・データ交換ノード（ＰＤＳＮ：Ｐａｃｋｅｔ  Ｄａｔａ  Ｓｅｒｖｉｎｇ  Ｎｏｄｅ）８００とを具備する。
【００１９】
以下、無線基地局をＡＮ、パケット制御装置をＰＣＦ、ブロードキャスト交換ノードをＢＳＮ、ゲートウェイをＧＷ、パケット・データ交換ノードをＰＤＳＮとする。なお、移動体通信システム１に含まれる無線通信端末及びＡＮの数量は、図１に示す数量に限定されるものではない。
【００２０】
移動体通信システム１は、１ｘＥＶ−ＤＯに対応した移動体通信システムである。移動体通信システム１では、無線通信端末１００ごとに個別に割り当てられた個別チャネルによるデータの送受信（ユニキャスト）が行われる。
【００２１】
例えば、図１に示すように、ユニキャストでは、無線通信端末１００ａは、ＡＮ２００ａと、ＰＣＦ３００と、ＰＤＳＮ８００と、ＧＷ５００ａとを介して、コンテンツサーバ６００とデータの送受信を行う。同様に、無線通信端末１００ｂ及び無線通信端末１００ｃも、各々制御装置とデータの送受信を行う。
【００２２】
また、移動体通信システム１は、ＢＣＭＣＳ機能にも対応している。移動体通信システム１では、複数の無線通信端末に一斉にＢＣＭＣＳデータ（配信データ）を送信可能なＢＣＭＣＳ専用チャネルを用いて、下り方向のみの片方向通信（ブロードキャスト／マルチキャスト）が行われる。
【００２３】
例えば、図１に示すように、ブロードキャスト／マルチキャストでは、コンテンツサーバ６００からのコンテンツデータは、ＧＷ５００ｂと、ＢＳＮ４００と、ＰＣＦ３００と、ＡＮ２００ａ及びＡＮ２００ｂ及びＡＮ２００ｃを介して、一斉にＢＣＭＣＳデータを無線通信端末１００ａ及び１００ｂ及び１００ｃに送信する。
【００２４】
なお、移動体通信システム１は、制御装置が、ブロードキャスト／マルチキャストによるＢＣＭＣＳデータの配信を行うように構成されているが、他のコンテンツサーバ（図示なし）等がブロードキャスト／マルチキャストによるＢＣＭＣＳデータの配信を行うように構成されていてもよい。
【００２５】
また、移動体通信システム１では、図２に示すように、ＡＮ２００ａ、ＡＮ２００ｂ、ＡＮ２００ｃは、それぞれセルＣ１、セルＣ２、セルＣ３に在圏する無線通信端末１００と通信を行う。また、ＡＮ２００ａ、ＡＮ２００ｂ、ＡＮ２００ｃは、それぞれ「セクタＩＤ」を保持している。セクタＩＤとは、ＡＮ２００ａ、２００ｂ、２００ｃ（無線基地局）を識別する識別子である。例えば、ＡＮ２００ａのセクタＩＤはＳ１、ＡＮ２００ｂのセクタＩＤはＳ２、ＡＮ２００ｃのセクタＩＤはＳ３である。
【００２６】
（移動体通信システムの機能ブロック構成）
次に、移動体通信システム１を構成する無線通信端末１００（無線通信端末１００ａ、１００ｂ、１００ｃ）及び制御装置の機能ブロック構成について説明する。
【００２７】
また、以下、本発明との関連がある部分について主に説明する。したがって、無線通信端末１００、制御装置は、当該装置としての機能を実現する上で必須な、図示しない或いは説明を省略した論理ブロック（電源部など）を備える場合があることに留意されたい。
【００２８】
（１） 無線通信端末
図３は、無線通信端末１００の機能ブロック図である。無線通信端末１００は、ＢＣＭＣＳ処理部１１０と、再送処理部１２０とを具備する。
【００２９】
ＢＣＭＣＳ処理部１１０は、ブロードキャスト／マルチキャストによって、ＡＮ２００から一斉に送信されたＢＣＭＣＳデータを受信する。
【００３０】
また、ＢＣＭＣＳデータには、誤り訂正符号であるＲ-Ｓ（Ｒｅｅｄ−Ｓｏｌｏｍｏｎ）符号が付与されている。ＢＣＭＣＳ処理部１１０は、Ｒ-Ｓ符号によってＢＣＭＣＳデータの誤り訂正を行う。Ｒ-Ｓ符号によってＢＣＭＣＳデータの誤り訂正を行うことができない場合、当該ＢＣＭＣＳデータの再送要求が後述の再送処理部１２０によって行われる。
【００３１】
再送処理部１２０は、ユニキャストを用いて、ＢＣＭＣＳデータの再送要求を制御装置に行う。また、再送処理部１２０は、ＢＣＭＣＳデータを無線通信端末１００に送信したＡＮ２００のセクタＩＤを当該再送要求に含める。
【００３２】
再送処理部１２０は、ユニキャストを用いて、前記配信データの再送要求を前記配信元に向けて送信する再送要求送信部として機能する。
【００３３】
再送処理部１２０は、再送要求の対象となる配信データを配信した前記無線基地局の識別子を前記再送要求に含める識別子処理部として機能する。
【００３４】
（２） 制御装置
図４は、制御装置の機能ブロック図である。制御装置は、ＢＣＭＣＳ処理部６１０と、再送処理部６２０と、再送要求回数算出部６３０と、欠陥ＡＮ検出部６４０と、送信パラメータ制御部６５０とを具備する。
【００３５】
ＢＣＭＣＳ処理部６１０は、ブロードキャスト／マルチキャストを用いて、複数の無線通信端末１００に対して一斉にＡＮ２００から送信させるＢＣＭＣＳデータを送信する。
【００３６】
再送処理部６２０は、無線通信端末１００からのユニキャストによるＢＣＭＣＳデータの再送要求によって、要求されたＢＣＭＣＳデータを、ユニキャストを用いて、無線通信端末１００に送信する。また、再送処理部６２０は、当該再送要求に含まれているセクタＩＤを抽出する。
【００３７】
再送要求回数算出部６３０は、再送処理部６２０が受信した再送要求に含まれるセクタＩＤに基づいて、ＡＮ２００ごとの（セクタＩＤごとの）再送要求回数を算出する。具体的には、再送要求回数算出部６３０は、セクタＩＤごとに再送要求を集計し、一定時間あたりのＡＮ２００ごとの（セクタＩＤごとの）再送要求回数を算出する。
【００３８】
欠陥ＡＮ検出部６４０は、再送要求回数算出部６３０が算出したＡＮ２００ごとの再送要求回数に基づいて、無線通信端末１００におけるＢＣＭＣＳデータの受信品質が悪化しているＡＮ２００を検出する。
【００３９】
具体的には、欠陥ＡＮ検出部６４０は、複数のＡＮ２００から構成されているエリアを設定し、当該エリアを構成するＡＮ２００ごとの再送要求回数の平均である平均再送要求回数を算出する。
【００４０】
また、欠陥ＡＮ検出部６４０は、上述のエリアにおいて、ＡＮ２００ごとの再送要求回数が、平均再送要求回数＋Ｎ（所定の閾値）を超えるＡＮ２００を抽出する。抽出したＡＮ２００のうち、最も再送要求回数が多いＡＮ２００の周辺に平均再送要求回数＋Ｎ（所定の閾値）を超えるＡＮ２００が所定の閾値（例えば、３）以上存在する場合、欠陥ＡＮ検出部６４０は、最も再送要求回数が多いＡＮ２００を欠陥ＡＮとして検出する。
【００４１】
送信パラメータ制御部６５０は、欠陥ＡＮ検出部６４０が検出した欠陥ＡＮのブロードキャスト／マルチキャストの配信データを配信する送信パラメータを制御する。
【００４２】
例えば、送信パラメータは、ＢＣＭＣＳデータの送信電力であってもよい。かかる場合、送信パラメータ制御部６５０は、欠陥ＡＮ検出部６４０が検出したＡＮ２００に対して、ＢＣＭＣＳデータの送信電力を上げるように通知する。
【００４３】
また、送信パラメータは、ＢＣＭＣＳデータに対する誤り訂正符号の割合であってもよい。かかる場合、送信パラメータ制御部６５０は、欠陥ＡＮ検出部６４０が検出した欠陥ＡＮに対して、ＢＣＭＣＳデータに対する誤り訂正符号の割合を上げるように通知する。ここで、誤り訂正符号は、Ｒ-Ｓ符号を用いてもよい。Ｒ-Ｓ符号では、図５に示すように、ＢＣＭＣＳデータに対するＲ-Ｓ符号の割合を変更することによって、誤り訂正可能なＢＣＭＣＳデータサイズを変更することができる。
【００４４】
また、送信パラメータは、ＢＣＭＣＳデータの送信速度であってもよい。かかる場合、送信パラメータ制御部６５０は、欠陥ＡＮ検出部６４０が検出した欠陥ＡＮに対して、ＢＣＭＣＳデータの送信速度を下げるように通知する。
【００４５】
尚、上述のＢＣＭＣＳ処理部６１０、再送処理部６２０、再送要求回数算出部６３０、欠陥ＡＮ検出部６４０、送信パラメータ制御部６５０を模擬的に１つの制御装置として記載しているが、各部はネットワーク上の各ノードに分散されても良いし、特定の装置（例えばコンテンツサーバ、ＢＣＭＣＳ制御装置、パケット・データ交換ノード）が備えていても良い。
【００４６】
（移動体通信システムの動作）
次に、上述した移動体通信システム１に含まれる無線通信端末１００及び制御装置の動作について説明する。
【００４７】
（１） 再送シーケンス
図６は、無線通信端末１００と、制御装置との間のＢＣＭＣＳデータの再送シーケンスである。
【００４８】
ステップＳ１１０〜ステップＳ１６０において、制御装置は、ＢＣＭＣＳデータ（ＮＯ．１〜６）を送信する。
【００４９】
ステップＳ１５０において、無線通信端末１００が、ＢＣＭＣＳデータ（ＮＯ，５）の受信や誤り訂正に失敗する場合、ステップＳ１７０において、無線通信端末１００は、ユニキャストを用いて、ＢＣＭＣＳデータ再送要求（ＮＯ．５）を行い、制御装置からＢＣＭＣＳデータ（ＮＯ．５）を取得する。
【００５０】
ステップＳ１８０〜において、制御装置は、ＢＣＭＣＳデータ（ＮＯ．７〜）を送信する。
【００５１】
（２） 欠陥ＡＮ検出フロー及び送信パラメータ制御フロー
図７は、制御装置が、無線通信端末１００からの再送要求に基づいて、欠陥ＡＮを検出し、送信パラメータを制御するフローである。
【００５２】
ステップＳ２１０において、制御装置は、複数のＡＮ２００から構成されているエリアを設定する。
【００５３】
ステップＳ２２０において、制御装置は、再送要求に含まれるセクタＩＤに基づいて、当該エリアを構成するＡＮ２００ごとの再送要求回数を算出する。
【００５４】
ステップＳ２３０において、制御装置は、当該エリアを構成するＡＮ２００ごとの再送要求回数の平均である平均再送要求回数を算出する。
【００５５】
ステップＳ２４０において、制御装置は、上述のエリアにおいて、ＡＮ２００ごとの再送要求回数が、平均再送要求回数＋Ｎ（所定の閾値）を超えるＡＮ２００が存在するか否かを判定する。平均再送要求回数＋Ｎ（所定の閾値）を超えるＡＮ２００が存在する場合（ステップＳ２４０におけるＹＥＳ）、当該ＡＮ２００が抽出され、本動作は、ステップＳ２５０に進む。一方、平均再送要求回数＋Ｎ（所定の閾値）を超えるＡＮ２００が存在しない場合（ステップＳ２４０におけるＮＯ）、本動作はステップＳ３００に進む。
【００５６】
ステップＳ２５０において、制御装置は、送信パラメータの変更の要否について判定する。
【００５７】
具体的には、制御装置は、抽出したＡＮ２００のうち、最も再送要求回数が多いＡＮ２００の周辺に平均再送要求回数＋Ｎ（所定の閾値）を超えるＡＮ２００が所定の閾値（例えば、３）以上存在する場合（ステップＳ２５０のＹＥＳ）、制御装置は、最も再送要求回数が多いＡＮ２００を欠陥ＡＮとして検出し、本動作はステップＳ２６０に進む。
【００５８】
制御装置は、抽出したＡＮ２００のうち、最も再送要求回数が多いＡＮ２００の周辺に平均再送要求回数＋Ｎ（所定の閾値）を超えるＡＮ２００が所定の閾値（例えば、３）以上存在しない場合（ステップＳ２５０のＮＯ）、本動作は、ステップＳ３００に進む。
【００５９】
ステップＳ２６０において、制御装置は、ステップＳ２５０において検出した欠陥ＡＮの送信電力が最大であるか否かを判定する。欠陥ＡＮの送信電力が最大でない場合（ステップＳ２６０のＮＯ）、ステップＳ２７０において、制御装置は、欠陥ＡＮに対して、送信電力を上げるように通知する。
【００６０】
ステップＳ２８０において、制御装置は、ステップＳ２５０において検出した欠陥ＡＮのＲ-Ｓ符号強度が最大であるか否かを判定する。欠陥ＡＮのＲ-Ｓ符号強度が最大でない場合（ステップＳ２８０のＮＯ）、ステップＳ２９０において、制御装置は、欠陥ＡＮに対して、Ｒ-Ｓ符号強度（ＢＣＭＣＳデータに対するＲ-Ｓ符号の割合）を上げるように通知する。
【００６１】
ステップＳ３００において、設定した全てのエリアについてステップＳ２２０〜Ｓ２９０を繰り返す。
【００６２】
（３） 欠陥ＡＮ検出処理
図８乃至図１２を参照し、上述の欠陥ＡＮ検出処理について具体例を挙げて説明する。
【００６３】
まず、図８に示すように、無線通信端末１００が、ポイントＰ１１〜Ｐ１７を通過し、移動方向（Ａ）に移動する場合における、ビットエラー率の変化とＡＮ２００ごとの（セクタＩＤごとの）再送要求回数について説明する。
【００６４】
なお、図８において、ＡＮ２００は図示しないが、各セルの中央付近に配置されているものとする。また、Ｓ２〜Ｓ９は、ＡＮ２００のセクタＩＤを示す。
【００６５】
ここで、ポイントＰ１１、Ｐ１３、Ｐ１５、Ｐ１７は、それぞれセクタＩＤ＝Ｓ２、Ｓ９、Ｓ５、Ｓ６のＡＮ２００の直近で無線通信端末１００が通信を実行する地点、ポイントＰ１２は、無線通信端末１００がセクタＩＤ＝Ｓ２のＡＮ２００からセクタＩＤ＝Ｓ９のＡＮ２００にハンドオフする地点、ポイントＰ１４は、無線通信端末１００がセクタＩＤ＝Ｓ９のＡＮ２００からセクタＩＤ＝Ｓ５のＡＮ２００にハンドオフする地点、ポイントＰ１６は、無線通信端末１００がセクタＩＤ＝Ｓ５のＡＮ２００からセクタＩＤ＝Ｓ６のＡＮ２００にハンドオフする地点である。
【００６６】
また、図８では、エリア設計の誤り等によって、セクタＩＤ＝Ｓ５のＡＮ２００からの送信電力が低いものとする。
【００６７】
ここで、セクタＩＤ＝Ｓ５のＡＮ２００からの送信電力が通常通りである場合、無線通信端末１００は、ポイントＰ１４ａにおいて、セクタＩＤ＝Ｓ９のＡＮ２００との通信を、セクタＩＤ＝Ｓ５のＡＮ２００との通信に切り替える。しかしながら、図８では、セクタＩＤ＝Ｓ５のＡＮ２００からの送信電力が低いため、ポイントＰ１４ａからさらにセクタＩＤ＝Ｓ５のＡＮ２００に接近したポイントＰ１４において、無線通信端末１００は、セクタＩＤ＝Ｓ９のＡＮ２００との通信を、セクタＩＤ＝Ｓ５のＡＮ２００との通信に切り替えている。
【００６８】
同様に、ポイントＰ１６ａからさらにセクタＩＤ＝Ｓ５のＡＮ２００に接近したポイントＰ１６において、無線通信端末１００は、セクタＩＤ＝Ｓ５のＡＮ２００との通信を、セクタＩＤ＝Ｓ６のＡＮ２００との通信に切り替えている。
【００６９】
図９は、図８に示す無線通信端末１００の移動に伴うビットエラー率（ＢＥＲ）の変化を示す図である。なお、図８のポイントＰ１１〜Ｐ１７は、図９のポイントＰ１１〜Ｐ１７に対応するものとする。
【００７０】
図９に示すように、ポイントＰ１４ａ〜Ｐ１４においては、ビットエラー率が高い。これは、セクタＩＤ＝Ｓ５のＡＮ２００からの送信電力が低く、セクタＩＤ＝Ｓ９のＡＮ２００の設計カバーエリア外（セクタＩＤ＝Ｓ５のＡＮ２００の設計カバーエリア内）のポイントＰ１４ａ〜Ｐ１４においても、無線通信端末１００がセクタＩＤ＝Ｓ９のＡＮ２００と通信を実行することにより、ＢＣＭＣＳデータの受信品質が低下するためである。
【００７１】
同様の理由から、ポイントＰ１６〜Ｐ１６ａのビットエラー率も高い。
【００７２】
また、ポイントＰ１４ａ〜Ｐ１４、ポイントＰ１６〜Ｐ１６ａにおいては、ビットエラー率が通常より高いため、Ｒ‐Ｓ符号によって誤り訂正を行うことができないＢＣＭＣＳデータが発生してしまう。したがって、ポイントＰ１４ａ〜Ｐ１４、ポイントＰ１６〜Ｐ１６ａにおいては、再送要求が行われる回数も増加する。
【００７３】
図１０は、図８に示す無線通信１００の移動に伴う再送要求回数の変化を示す図である。なお、図８のセクタＩＤ＝Ｓ２〜Ｓ９は、図１０のセクタＩＤ＝Ｓ２〜Ｓ９に対応するものとする。
【００７４】
上述のように、ＡＮ２００ごとの（セクタＩＤごとの）再送要求回数は、無線通信端末１００からの再送要求に含まれるセクタＩＤに基づいて算出される。また、無線通信端末１００は、通信実行中のＡＮ２００のセクタＩＤを再送要求に含める。
【００７５】
ここで、図８に示すように、ポイントＰ１４〜Ｐ１６において、無線通信端末１００はセクタＩＤ＝Ｓ５のＡＮ２００と通信を実行する。したがって、ポイントＰ１４〜Ｐ１６における再送要求回数は、セクタＩＤ＝Ｓ５に集計される。セクタＩＤ＝Ｓ５のＡＮ２００からの送信電力が低いため、セクタＩＤ＝Ｓ５の再送要求回数は、最も多い。
【００７６】
また、セクタＩＤ＝Ｓ５のＡＮ２００からの送信電力が低いため、ポイントＰ１４ａ〜Ｐ１４において、無線通信端末１００は、セクタＩＤ＝Ｓ９のＡＮ２００と通信を実行する。したがって、ポイントＰ１４ａ〜Ｐ１４における再送要求回数は、セクタＩＤ＝Ｓ９に集計される。したがって、セクタＩＤ＝Ｓ９の再送要求回数は、ポイントＰ１３〜Ｐ１４ａにおける再送要求回数に加えて、ポイントＰ１４ａ〜Ｐ１４における再送要求回数が加算されてしまう。
【００７７】
このように、セクタＩＤ＝Ｓ５の再送要求回数が最も多くなるとともに、周辺のセクタＩＤ（例えば、セクタＩＤ＝Ｓ９）の再送要求回数も多くなる。
【００７８】
次に、図８乃至図１０の例において、制御装置が、ＡＮ２００ごとの（セクタＩＤごとの）再送要求回数に基づいて、送信電力が低く設定されているセクタＩＤ＝５のＡＮ２００（欠陥ＡＮ）を検出する例について説明する。
【００７９】
上述のように、欠陥ＡＮを検出する際に、制御装置は、複数のＡＮ２００から構成されているエリアを設定する。
【００８０】
具体的には、制御装置は、図１１に示すように、エリアＡ１１〜Ａ１４を設定する。そして、各エリアごとに、上述の欠陥ＡＮ検出フローを用いて、欠陥ＡＮを検出する。
【００８１】
例えば、図１１に示すように、セクタＩＤ＝Ｓ２〜Ｓ９のＡＮ２００は、エリアＡ１１を構成する。制御装置は、上述のように、無線基地局１００からの再送要求に含まれるセクタＩＤに基づいて、ＡＮ２００ごとの（セクタＩＤごとの）再送要求回数を算出する。セクタＩＤ＝Ｓ２〜Ｓ９のＡＮ２００の再送要求回数は、図１０に示した通りである。
【００８２】
ここで、制御装置は、エリアＡ１１を構成するＡＮ２００（セクタＩＤ＝Ｓ２〜Ｓ９等）の再送要求回数の平均である平均再送要求回数を算出する。
【００８３】
そして、制御装置は、エリアＡ１１において、平均再送要求回数＋Ｎ（所定の閾値）を超える再送要求回数のＡＮ２００が存在するか否かを判定する。
【００８４】
ここでは、図１０に示すように、セクタＩＤ＝Ｓ３〜Ｓ９のＡＮ２００が平均再送要求回数＋Ｎ（所定の閾値）を超えている。また、最も再送要求回数が多いＡＮ２００は、セクタＩＤ＝Ｓ５のＡＮ２００である。そして、セクタＩＤ＝Ｓ５のＡＮ２００の周辺に平均再送要求回数＋Ｎ（所定の閾値）を超えるＡＮ２００が閾値（例えば、３）以上存在するため、制御装置は、最も再送要求回数が多いセクタＩＤ＝Ｓ５のＡＮ２００を欠陥ＡＮとして検出する。
【００８５】
制御装置は、上述のように検出した欠陥ＡＮであるセクタＩＤ＝Ｓ５のＡＮ２００の送信パラメータを制御することによって、無線通信端末１００の受信品質を改善する。
【００８６】
なお、上述のエリア設定は、図１１に示すように行ったが、かかるエリア設定のみを行うべきではない。例えば、図１１に示すように、セクタＩＤ＝Ｓ１０のＡＮ２００の送信電力が低く、再送要求回数が多い場合であっても、エリアＡ１１、Ａ１２、Ａ１４の境界であるため、平均再送要求回数＋Ｎ（所定の閾値）を超える周辺のＡＮ２００が閾値（例えば、３つ）以上にならない場合があるためである。これは、上述の欠陥ＡＮ検出フローが設定されたエリア単位で行われることに起因する。
【００８７】
そこで、制御装置は、図１２に示すように、エリアＡ２１〜Ａ２９を設定してもよい。図１２では、セクタＩＤ＝Ｓ１０のＡＮ２００は、エリアＡ２５の中央に位置するため、制御装置は、セクタＩＤ＝Ｓ１０のＡＮ２００を欠陥ＡＮとして検出可能である。
【００８８】
また、上述の欠陥ＡＮ検出フローでは、図１１に示すエリア設定と、図１２に示すエリア設定を、周期的に繰り返して欠陥ＡＮ検出処理を行うことが好ましい。
【００８９】
（作用・効果）
本実施形態に係る移動体通信システム１によれば、無線通信端末１００は、ブロードキャスト／マルチキャストを用いて送信されたＢＣＭＣＳデータ（配信データ）の再送要求を、ユニキャストを用いて行うことができる。また、無線通信端末１００が、かかる再送要求に、ＢＣＭＣＳデータが送信されたセクタＩＤ（無線基地局の識別子）を含めることによって、制御装置が、再送要求回数の多いＡＮ２００である欠陥ＡＮを特定することができる。また、制御装置が、ＡＮ２００ごとの再送要求回数に基づいて、ＡＮ２００の送信パラメータを制御することによって、無線通信端末１００におけるＢＣＭＣＳデータの受信品質を改善することができる。
【００９０】
本実施形態に係る移動体通信システム１によれば、制御装置が、ＡＮ２００ごとの再送要求回数に基づいて、ＡＮ２００の送信パラメータを制御することによって、適切に、無線通信端末１００におけるＢＣＭＣＳデータの受信品質を改善することができる。
【００９１】
本実施形態に係る移動体通信システム１によれば、送信パラメータが、ＢＣＭＣＳデータの送信電力と、ＢＣＭＣＳデータに対する誤り訂正符号の割合と、ＢＣＭＣＳデータの送信速度とであることから、適切に、無線通信端末１００におけるＢＣＭＣＳデータの受信品質を改善することができる。
【００９２】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００９３】
例えば、上述した本発明の実施形態では、図７において、制御装置は、送信パラメータの制御を、送信電力、Ｒ‐Ｓ符号強度の順に調整したが、かかる順でなくともよい。また、制御装置は、送信電力のみ、Ｒ‐Ｓ符号強度のみ、送信速度のみを制御してもよく、これらを組み合わせて制御してもよい。
【００９４】
また、無線通信端末１００は、無線カードや無線モジュールなどであってもよい
また、ＢＣＭＣＳ処理部１１０と、再送処理部１２０と、ＢＣＭＣＳ処理部６１０と、再送処理部６２０と、再送要求回数算出部６３０と、欠陥ＡＮ検出部６４０と、送信パラメータ制御部６５０とは、コンピュータにおいて実行可能なプログラムとしても提供することができる。
【００９５】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００９６】
【図１】本発明の実施形態に係る移動体通信システムの全体概略構成図である。
【図２】本発明の実施形態に係るＡＮ（無線基地局）の概略構成図である。
【図３】本発明の実施形態に係る無線通信端末の機能ブロック図である。
【図４】本発明の実施形態に係る制御装置の機能ブロック図である。
【図５】本発明の実施形態に係るＲ‐Ｓ符号を説明するための図である。
【図６】本発明の実施形態に係る無線通信端末と制御装置との再送シーケンスである。
【図７】本発明の実施形態に係る欠陥ＡＮ検出フロー及び送信パラメータ制御フローである。
【図８】本発明の実施形態に係る無線通信端末の移動を示す図である。
【図９】本発明の実施形態に係る無線通信端末の移動に伴うビットエラー率の変化を示す図である。
【図１０】本発明の実施形態に係る無線通信端末の移動に伴う再送要求回数の変化を示す図である。
【図１１】本発明の実施形態に係るエリア設定例を示す図である。
【図１２】本発明の実施形態に係るエリア設定例を示す図である。
【符号の説明】
【００９７】
１…移動体通信システム、１００…無線通信端末、１１０…ＢＣＭＣＳ処理部、１２０…再送処理部、２００…ＡＮ、３００…ＰＣＦ、４００…ＢＳＮ、５００…ＧＷ、６００…コンテンツサーバ、６１０…ＢＣＭＣＳ処理部、６２０…再送処理部、６３０…再送要求回数算出部、６４０…欠陥ＡＮ検出部、６５０…送信パラメータ制御部、７００…ＢＣＭＣＳ制御装置、８００…ＰＤＳＮ
【図１】
2007201924.tif 000003
【図２】
2007201924.tif 000004
【図３】
2007201924.tif 000005
【図４】
2007201924.tif 000006
【図５】
2007201924.tif 000007
【図６】
2007201924.tif 000008
【図７】
2007201924.tif 000009
【図８】
2007201924.tif 000010
【図９】
2007201924.tif 000011
【図１０】
2007201924.tif 000012
【図１１】
2007201924.tif 000013
【図１２】
2007201924.tif 000014